(57)【要約】  Ｅ−ＤＣＨ（Enhanced Dedicated CHannel）を介するデータの送信を制御するための方法および装置が開示される。複数の個別チャンネル向け媒体アクセス制御（dedicated channel Medium Access Control：ＭＡＣ−ｄ）フローに基づいて、使用可能な伝送フォーマットの組み合わせ（Transport Format Combination：ＴＦＣ）の一覧が発生される。使用可能なＴＦＣの一覧から選択されたＴＦＣを使用して、拡張アップリンク向け媒体アクセス制御（enhanced uplink Medium Access Control：ＭＡＣ−ｅ）のプロトコル・データ・ユニット（Protocol Data Unit：ＰＤＵ）が発生される。ＭＡＣ−ｅのＰＤＵは、送信のためにハイブリッド自動再送要求（Hybrid-Automatic Repeat reQuest：Ｈ−ＡＲＱ）処理ユニットに転送される。残存Ｅ−ＤＣＨ電力、Ｅ−ＤＣＨの伝送フォーマットの組み合わせ集合（Transport Format Combination Set：ＴＦＣＳ）、送信するべきＥ−ＤＣＨデータを有する最優先度ＭＡＣ−ｄフローの電力オフセット、および各々のＴＦＣに対する利得因子に基づき、ＴＦＣを削除することおよび回復させることによって、使用可能なＴＦＣの一覧は、継続的に更新される。
2008538683.tif 000002
【特許請求の範囲】
【請求項１】
拡張専用チャネル（Enhanced Dedicated Channel：Ｅ−ＤＣＨ）を介するデータの送信を制御する方法であって、
（ａ）複数の個別チャンネル向け媒体アクセス制御（dedicated channel Medium Access Control：ＭＡＣ−ｄ）フローに基づいて、使用可能な伝送フォーマットの組み合わせ（Transport Format Combination：ＴＦＣ）の一覧を生成するステップ、
（ｂ）前記使用可能なＴＦＣの一覧を格納するステップ、
（ｃ）前記使用可能なＴＦＣの一覧から１つのＴＦＣを選択するステップ、
（ｄ）当該選択されたＴＦＣを使用して、拡張アップリンク向け媒体アクセス制御（enhanced uplink Medium Access Control：ＭＡＣ−ｅ）のプロトコル・データ・ユニット（Protocol Data Unit：ＰＤＵ）を生成するステップ、および
（ｅ）送信のために前記ＭＡＣ−ｅのＰＤＵをハイブリッド自動再送要求（Hybrid-Automatic Repeat reQuest：Ｈ−ＡＲＱ）処理ユニットに転送するステップ
を備えたことを特徴とする方法。
【請求項２】
前記ステップ（ａ）は、
残存Ｅ−ＤＣＨ電力、Ｅ−ＤＣＨの伝送フォーマットの組み合わせ集合（Transport Format Combination Set：ＴＦＣＳ）、送信するべきＥ−ＤＣＨデータを有する最優先度ＭＡＣ−ｄフローの電力オフセット、および各々のＴＦＣに対する利得因子に基づき、ＴＦＣを削除し、および回復させることによって、前記使用可能なＴＦＣの一覧を継続的に更新するステップ
を含むことを特徴とする請求項１に記載の方法。
【請求項３】
前記使用可能なＴＦＣの一覧は、
Ｅ−ＤＣＨ送信のためのデータを有する最優先度論理チャンネルを決定するステップ、
前記最優先度論理チャンネルが割り付けられるＭＡＣ−ｄフローを決定するステップ、
前記ＭＡＣ−ｄフローに関連付けられたＴＦＣの一覧を決定するステップ、
前記ＴＦＣの一覧を残存Ｅ−ＤＣＨ電力に索引付けするステップ、および
前記残存Ｅ−ＤＣＨ電力を超えているＴＦＣを削除し、および該残存Ｅ−ＤＣＨ電力によって対応可能なＴＦＣを回復させることによって、前記ＴＦＣの一覧を更新するステップ
を実行することによって更されることを特徴とする請求項２に記載の方法。
【請求項４】
前記ＴＦＣの最小の集合は、該最小の集合の中のＴＦＣが送信電力制限に依り遮断されることがないように定義されることを特徴とする請求項３に記載の方法。
【請求項５】
複数の前記ＭＡＣ−ｄフローは、単一のＭＡＣ−ｅ  ＰＤＵに多重化されることを特徴とする請求項１に記載の方法。
【請求項６】
前記ＭＡＣ−ｅ  ＰＤＵは、スケジュールされた許可、スケジュールされていないＭＡＣ−ｄフローの速度許可、残存Ｅ−ＤＣＨ電力によって許容された最大のＴＦＣ、許容されたＭＡＣ−ｄフロー組み合わせ、各々の論理チャンネルの相対的な優先度、および速度要求ビットのヘッダ、の内の少なくとも１つを考慮することによって生成されることを特徴とする請求項１に記載の方法。
【請求項７】
前記使用可能なＴＦＣの一覧から、前記ＭＡＣ−ｅ  ＰＤＵのサイズより大きい最小のＴＦＣを選択し、当該選択されたＴＦＣに適合するように前記ＭＡＣ−ｅ  ＰＤＵにパディングを適用することを特徴とする請求項６に記載の方法。
【請求項８】
（ｆ）Ｅ−ＤＣＨを確立するステップ、
（ｇ）ＴＦＣ選択に関連するパラメータをイニシャライズするステップ、および
（ｈ）残存Ｅ−ＤＣＨ電力を獲得し、および格納するステップ
をさらに備えたことを特徴とする請求項１に記載の方法。
【請求項９】
前記ステップ（ｄ）は、
（ｄｌ）電力オフセットおよび残存Ｅ−ＤＣＨ電力に基づき対応可能な最大のペイロードを計算するステップ、
（ｄ２）前記使用可能なペイロードを対応可能な最大のペイロードに設定するステップ、および
（ｄ３）送信のために選択された電力オフセットにて送信することが可能なスケジュールされた最大のペイロードを計算するステップ、
をさらに備えたことを特徴とする請求項１に記載の方法。
【請求項１０】
前記ステップ（ｄ）は、
（ｄ４）前記スケジュールされていない許可を持つ各々のＭＡＣ−ｄフローに対してスケジュールされていない許可の値に対して使用可能なスケジュールされていないペイロードを設定するステップ、および
（ｄ５）許容されたＭＡＣ−ｄフロー組み合わせを持つデータを有する少なくとも１つの論理チャンネルがあり、かつ使用可能なペイロードがある場合、該論理チャンネルがスケジュールされていない許可、またはスケジュールされた許可を持つＭＡＣ−ｄフローに属するか否かを判定するステップ
をさらに備えたことを特徴とする請求項９に記載の方法。
【請求項１１】
前記論理チャンネルがスケジュールされていない許可を持つＭＡＣ−ｄフローに属する場合、前記ＭＡＣ−ｅ  ＰＤＵは、前記使用可能なペイロードの最小値、前記使用可能なスケジュールされていないペイロード、および前記論理チャンネルの使用可能なデータまで入力されることを特徴とする請求項１０に記載の方法。
【請求項１２】
入力されたデータ・ビットおよび関連するヘッダ・ビットによって、前記使用可能なペイロードおよび前記使用可能なスケジュールされていないペイロードを削減するステップ
をさらに備えたことを特徴とする請求項１１に記載の方法。
【請求項１３】
前記論理チャンネルがスケジュールされた許可を持つＭＡＣ−ｄフローに属する場合、前記ＭＡＣ−ｅ  ＰＤＵが、前記使用可能なペイロードの最小値、前記使用可能なスケジュールされたペイロード、および前記論理チャンネルの使用可能なデータまで入力されることを特徴とする請求項１０に記載の方法。
【請求項１４】
入力されたデータ・ビットおよび関連するヘッダ・ビットによって、前記使用可能なペイロードおよび前記使用可能なスケジュールされたペイロードを削減するステップ
をさらに備えたことを特徴とする請求項１３に記載の方法。
【請求項１５】
（ｆ）適切なＥ−ＤＣＨ  ＴＦＣを選択するステップ、
（ｇ）前記ＭＡＣ−ｅ  ＰＤＵのサイズを決定するステップ、
（ｈ）特定の電力オフセットに対して、対応可能なＴＦＣの一覧から、多重化された後に前記ＭＡＣ−ｅ  ＰＤＵのサイズより大となる最小のＴＦＣを選択するステップ、および
（ｉ）前記選択されたＴＦＣに適合するように前記ＭＡＣ−ｅ  ＰＤＵにパッドを付加するステップ
をさらに備えたことを特徴とする請求項１に記載に記載の方法。
【請求項１６】
拡張アップリンク伝送フォーマット組み合わせ（Enhanced uplink Transport Format Combination：Ｅ−ＴＦＣ）選択および多重化ユニットであって、
複数の個別チャンネル向け媒体アクセス制御（dedicated channel Medium Access Control：ＭＡＣ−ｄ）フローに基づいて、使用可能な伝送フォーマットの組み合わせ（Transport Format Combination：ＴＦＣ）の一覧を生成するＴＦＣ回復および削除ユニット、
拡張アップリンク向け媒体アクセス制御（enhanced uplink Medium Access Control：ＭＡＣ−ｅ）のプロトコル・データ・ユニット（Protocol Data Unit：ＰＤＵ）を生成する多重化機構、および
前記ＭＡＣ−ｅ  ＰＤＵに対してＴＦＣを選択し、および当該選択されたＴＦＣに適合するように該ＭＡＣ−ｅ  ＰＤＵにパディングを適用するＴＦＣ選択およびパディングユニット、
を含むＥ−ＴＦＣ選択および多重化ユニット、および
前記ＭＡＣ−ｅ  ＰＤＵを送信するためのハイブリッド自動再送要求（Hybrid-Automatic Repeat reQuest：Ｈ−ＡＲＱ）処理ユニット
を備えたことを特徴とする拡張専用チャネル（Enhanced Dedicated Channel：Ｅ−ＤＣＨ）を介するデータの送信を制御する無線送受信ユニット（Wireless Transmit/Receive Unit：ＷＴＲＵ）。
【請求項１７】
前記ＭＡＣ−ｅ  ＰＤＵを生成するために前記多重化機構によって使用される、速度要求ビットを生成する速度要求ユニット
をさらに備えたことを特徴とする請求項１６に記載のＷＴＲＵ。
【請求項１８】
前記ＴＦＣ回復および削除ユニット並びに前記多重化機構と通信可能な、前記ＭＡＣ−ｄフローの各々の電力オフセットを表示する信号を前記ＴＦＣ回復および削除ユニットに送る下位レイヤ管理ユニット
をさらに備えたことを特徴とする請求項１６に記載のＷＴＲＵ。
【請求項１９】
前記ＴＦＣ回復および削除ユニットおよび前記多重化機構と通信可能な、Ｅ−ＤＣＨの伝送フォーマットの組み合わせ集合（Transport Format Combination Set：ＴＦＣＳ）を表示する信号を該ＴＦＣ回復および削除ユニットに送る下位レイヤ管理ユニット
をさらに備えたことを特徴とする請求項１６に記載のＷＴＲＵ。
【請求項２０】
前記ＴＦＣ回復および削除ユニットおよび前記多重化機構と通信可能な、スケジュールされていないＭＡＣ−ｄフローの速度許可を表示する信号を該多重化機構に送る下位レイヤ管理ユニット
をさらに備えたことを特徴とする請求項１６に記載のＷＴＲＵ。
【請求項２１】
前記ＴＦＣ回復および削除ユニットおよび前記多重化機構と通信可能な、許容されたＭＡＣ−ｄフローの組み合わせを表示する信号を前記多重化機構に送る下位レイヤ管理ユニット
をさらに備えたことを特徴とする請求項１６に記載のＷＴＲＵ。
【請求項２２】
前記ＴＦＣ回復および削除ユニットおよび前記多重化機構と通信可能な、許容される最大電力を表示する第１の信号を生成する下位レイヤ管理ユニットであって、該第１の信号は、ＴＦＣを削除することおよび回復させることによってＴＦＣの前記一覧を継続的に更新するために使用される残存Ｅ−ＤＣＨ電力を示して、前記ＴＦＣ回復および削除ユニットに入力される第２の信号を生成するために使用する下位レイヤ管理ユニット
をさらに備えたことを特徴とする請求項１６に記載のＷＴＲＵ。
【請求項２３】
ＴＦＣの最小の集合は、該最小の集合の中のＴＦＣが送信電力制限に依り遮断されることがないように定められることを特徴とする請求項１６に記載のＷＴＲＵ。
【請求項２４】
前記多重化機構は、複数のＭＡＣ−ｄフローを単一のＭＡＣ−ｅ  ＰＤＵに多重化することを特徴とする請求項１６に記載のＷＴＲＵ。
【請求項２５】
前記ＭＡＣ−ｅ  ＰＤＵは、スケジュールされた許可、スケジュールされていないＭＡＣ−ｄフローの速度許可、残存Ｅ−ＤＣＨ電力によって許容された最大のＴＦＣ、許容されたＭＡＣ−ｄフロー組み合わせ、各々の論理チャンネルの相対的な優先度、および速度要求ビットのヘッダ、の内の少なくとも１つを考慮することによって、前記多重化機構により生成されることを特徴とする請求項１６に記載のＷＴＲＵ。
【請求項２６】
前記使用可能なＴＦＣの一覧から、前記ＭＡＣ−ｅ  ＰＤＵのサイズより大きい最小のＴＦＣを選択し、および前記選択されたＴＦＣに適合するように、前記ＴＦＣ選択およびパディングユニットによって該ＭＡＣ−ｅ  ＰＤＵにパディングを適用することを特徴とする請求項２５に記載のＷＴＲＵ。
【請求項２７】
拡張アップリンク伝送フォーマット組み合わせ（Enhanced uplink Transport Format Combination：Ｅ−ＴＦＣ）選択および多重化ユニットであって、
複数の個別チャンネル向け媒体アクセス制御（dedicated channel Medium Access Control：ＭＡＣ−ｄ）フローに基づいて、使用可能な伝送フォーマットの組み合わせ（Transport Format Combination：ＴＦＣ）の一覧を生成するＴＦＣ回復および削除ユニット、
拡張アップリンク向け媒体アクセス制御（enhanced uplink Medium Access Control：ＭＡＣ−ｅ）のプロトコル・データ・ユニット（Protocol Data Unit：ＰＤＵ）を生成する多重化機構、および
該ＭＡＣ−ｅ  ＰＤＵに対してＴＦＣを選択し、および当該選択されたＴＦＣに適合するように該ＭＡＣ−ｅ  ＰＤＵにパディングを適用するＴＦＣ選択およびパディングユニット、
を含むＥ−ＴＦＣ選択および多重化ユニット、および
該ＭＡＣ−ｅ  ＰＤＵを送信するハイブリッド自動再送要求（Hybrid-Automatic Repeat reQuest：Ｈ−ＡＲＱ）処理ユニット
を備えたことを特徴とする拡張専用チャネル（Enhanced Dedicated Channel：Ｅ−ＤＣＨ）を介するデータの送信を制御する集積回路（Integrated Circuit：ＩＣ）。
【請求項２８】
前記ＭＡＣ−ｅ  ＰＤＵを生成するために前記多重化機構によって使用される、速度要求ビットを生成する速度要求ユニット
をさらに備えたことを特徴とする請求項２７に記載のＩＣ。
【請求項２９】
前記ＴＦＣ回復および削除ユニットおよび前記多重化機構と通信可能な、前記ＭＡＣ−ｄフローの各々の電力オフセットを表示する信号を前記ＴＦＣ回復および削除ユニットに送る下位レイヤ管理ユニット
をさらに備えたことを特徴とする請求項２７に記載のＩＣ。
【請求項３０】
前記ＴＦＣ回復および削除ユニットおよび前記多重化機構と通信可能な、Ｅ−ＤＣＨの伝送フォーマットの組み合わせ集合（Transport Format Combination Set：ＴＦＣＳ）を示す信号を前記ＴＦＣ回復および削除ユニットに送る下位レイヤ管理ユニット
をさらに備えたことを特徴とする請求項２７に記載のＩＣ。
【請求項３１】
前記ＴＦＣ回復および削除ユニットおよび前記多重化機構と通信可能な、スケジュールされていないＭＡＣ−ｄフローの速度許可を示す信号を該多重化機構に送る下位レイヤ管理ユニット
をさらに備えたことを特徴とする請求項２７に記載のＩＣ。
【請求項３２】
前記ＴＦＣ回復および削除ユニットおよび前記多重化機構と通信可能な、許容されたＭＡＣ−ｄフローの組み合わせを示す信号を該多重化機構に送る下位レイヤ管理ユニット
をさらに備えたことを特徴とする請求項２７に記載のＩＣ。
【請求項３３】
前記ＴＦＣ回復および削除ユニットおよび前記多重化機構と通信可能な、許容される最大電力を表示する第１の信号を生成する下位レイヤ管理ユニットであって、該第１の信号は、ＴＦＣを削除することおよび回復させることによってＴＦＣの前記一覧を継続的に更新するために使用される残存Ｅ−ＤＣＨ電力を示して、該ＴＦＣ回復および削除ユニットに入力される第２の信号を生成するために使用される下位レイヤ管理ユニット
をさらに備えたことを特徴とする請求項２７に記載のＩＣ。
【請求項３４】
ＴＦＣの最小の集合が、該最小の集合の中のＴＦＣが送信電力制限に依り遮断されることがないように定められることを特徴とする請求項２７に記載のＩＣ。
【請求項３５】
前記多重化機構は、複数のＭＡＣ−ｄフローを単一のＭＡＣ−ｅ  ＰＤＵに多重化することを特徴とする請求項２７に記載のＩＣ。
【請求項３６】
前記ＭＡＣ−ｅ  ＰＤＵは、スケジュールされた許可、スケジュールされていないＭＡＣ−ｄフローの速度許可、残存Ｅ−ＤＣＨ電力によって許容された最大のＴＦＣ、許容されたＭＡＣ−ｄフロー組み合わせ、各々の論理チャンネルの相対的な優先度、および速度要求ビットのヘッダ、の内の少なくとも１つを前記多重化機構により考慮することによって生成されることを特徴とする請求項２７に記載のＩＣ。
【請求項３７】
前記使用可能なＴＦＣの一覧から、前記ＭＡＣ−ｅ  ＰＤＵのサイズより大きい最小のＴＦＣを選択し、当該選択されたＴＦＣに適合するように前記ＴＦＣ選択およびパディングユニットによって該ＭＡＣ−ｅ  ＰＤＵにパディングを適用することを特徴とする請求項３６に記載のＩＣ。
【発明の詳細な説明】
【技術分野】
【０００１】
本発明は、無線通信システムに関する。本発明はより詳細には、拡張専用チャネル（Ｅ−ＤＣＨ；Enhanced Dedicated Channel）を介する送信を制御するための方法および装置に関する。
【背景技術】
【０００２】
アップリンク（UpLink：ＵＬ）の通信可能範囲、スループット、および送信待ち時間を改良するための方法が現在、第三世代パートナーシップ・プロジェクト（３rd Generation Partnership Project：３ＧＰＰ）で検討されている。これらの目標を達成するために、３ＧＰＰにおいて、ＵＬ資源（すなわち、物理チャンネル）の制御（すなわち、スケジュールおよび割り付け）を無線ネットワーク制御装置（Radio Network Controller：ＲＮＣ）からノードＢ（Node-B）に移す拡張アップリンク（Enhanced Uplink：ＥＵ）送信が提案されている。
【０００３】
図１は、従来の無線送受信ユニット（Wireless Transmit/Receive Unit：ＷＴＲＵ）（例えば、移動端末）の側の媒体アクセス制御（Medium Access Control：ＭＡＣ）構造１００を示す図である。ＷＴＲＵ  ＭＡＣ構造１００は、拡張アップリンク向け媒体アクセス制御（enhanced uplink Medium Access Control：ＭＡＣ−ｅｓ／ＭＡＣ−ｅ）のエンティティ１０５を含み、それは、ＭＡＣの中で別々の独立したサブレイヤのエンティティより成る。ＭＡＣ−ｅｓ／−ｅの機能性の分割は、ＵＴＲＡＮ（Universal Terrestrial Radio Access Network：ユニバーサル地上無線アクセス・ネットワーク）の中でＭＡＣ機能性が如何に区切られるかの結果である。ＷＴＲＵ  ＭＡＣ構造１００はさらに、高速ＭＡＣエンティティ１１０、共通／共有ＭＡＣ（Common/SHared MAC：ＭＡＣ−ｃ／ｓｈ）１１５、個別チャンネル向け媒体アクセス制御（dedicated channel Medium Access Control：ＭＡＣ−ｄ）１２０、およびＭＡＣサービス・アクセス・ポイント（Service Access Point：ＳＡＰ）１２５を含む。ＭＡＣ−ｃ／ｓｈ１１５は、ＨＳ−ＤＳＣＨトランスポート・チャンネル１４５以外のすべての共通的トランスポート・チャンネルへのアクセスを制御する。ＭＡＣ−ｄ１２０は、すべての個別トランスポート・チャンネルへと、ＭＡＣ−ｃ／ｓｈ１１５へおよびＭＡＣ−ｈｓ１１０へのアクセスを制御する。ＭＡＣ−ｈｓ１１０は、ＨＳ−ＤＳＣＨトランスポート・チャンネル１４５へのアクセスを制御する。
【０００４】
ＭＡＣ−ｅｓ／ＭＡＣ−ｅエンティティ１０５はＥ−ＤＣＨ１３０へのアクセスを制御し、それによりＭＡＣ−ｄ１２０が接続１３５を介してＥ−ＤＣＨ１３０にアクセスでき、そしてＭＡＣ制御ＳＡＰ１２５が接続１４０を介してＥ−ＤＣＨ１３０にアクセスすることができる。
【０００５】
図２は、図１の従来のＷＴＲＵにおけるＭＡＣの相互関係を示す図である。図２に示すように、無線リンク制御（Radio Link Control：ＲＬＣ）プロトコル・データ・ユニット（Protocol Data Unit：ＰＤＵ）が論理チャンネル上でＭＡＣ−ｄに入力される。ＭＡＣ−ｅヘッダにおいて、データ記述表示子（Data Description Indicator：ＤＤＩ）フィールド（６ビット）は、論理チャンネル、ＭＡＣ−ｄフロー、およびＭＡＣ−ｄのＰＤＵサイズを特定する。無線資源制御（Radio Resource Control：ＲＲＣ）信号方式によって割り付け表が信号送信され、ＷＴＲＵがＤＤＩ値を設定することができる。Ｎフィールド（６ビットの固定サイズ）は、同一のＤＤＩ値に対応する連続したＭＡＣ−ｄ  ＰＤＵの数を表示する。ＤＤＩフィールドが特別な値をとると、ＭＡＣ−ｅ  ＰＤＵの残存部分においてそれ以上のデータが含まれていないことを示す。送信一連番号（Transmission Sequence Number：ＴＳＮ）フィールド（６ビット）は、図１に示されたＥ−ＤＣＨ１３０に関する送信一連番号を提供する。ＭＡＣ−ｅのＰＤＵは、ハイブリッド自動再送要求（Hybrid-Automatic Repeat reQuest：Ｈ−ＡＲＱ）エンティティに転送され、そこで次にそのＭＡＣ−ｅ  ＰＤＵを、１回の送信時間間隔（Transmission Time Interval：ＴＴＩ）において送信のため、レイヤ１に転送する。
【発明の開示】
【発明が解決しようとする課題】
【０００６】
Ｅ−ＤＣＨデータの送信を制御するための効率的なＭＡＣ構造が望まれる。
【課題を解決するための手段】
【０００７】
本発明はＥ−ＤＣＨを介する送信を制御するための方法および装置に関する。複数のＭＡＣ−ｄフローに基づいて、使用可能な伝送フォーマットの組み合わせ（Transport Format Combination：ＴＦＣ）の一覧が生成される。使用可能なＴＦＣの一覧から選択されたＴＦＣを使用して、ＭＡＣ−ｅのＰＤＵが生成される。ＭＡＣ−ｅのＰＤＵは、送信のためにＨ−ＡＲＱ処理ユニットに転送される。残存Ｅ−ＤＣＨ電力、Ｅ−ＤＣＨの伝送フォーマットの組み合わせ集合（Transport Format Combination Set：ＴＦＣＳ）、送信するべきＥ−ＤＣＨデータを有する最優先度ＭＡＣ−ｄフローの電力オフセット、および各々のＴＦＣに対する利得因子に基づき、ＴＦＣを削除したり、回復させたりすることによって、使用可能なＴＦＣの一覧は、継続的に更新される。
【０００８】
例として与えられ、かつ添付された図面に関連して理解されるべき以下の好適な実施例の記述から、本発明のより詳細な理解を得ることができる。
【発明を実施するための最良の形態】
【０００９】
用語「無線送受信ユニット（Wireless Transmit/Receive Unit：ＷＴＲＵ）」は、これ以降特に限定するものではないが、ユーザ設備（User Equipment：ＵＥ）、移動端末、固定または移動体の加入者ユニット、ページャ、または無線環境において動作する能力のある他のいかなる型の装置をも含む。以降参照される場合には、用語ノードＢ（Node-B）は、限定するものではないが、基地局、サイト制御装置、アクセス・ポイント（access point）または無線環境における他のいかなる型のインタフェース装置をも含む。
【００１０】
用語“ＭＡＣ−ｅ”は、これ以降ＭＡＣ−ｅおよびＭＡＣ−ｅｓの両方を集合的に参照するために使用されることとなる。
【００１１】
本発明の特徴は、集積回路（Integrated Circuit：ＩＣ）に組み入れるか、または多数の相互接続された部品より成る回路にて構成することができる。
【００１２】
図３は、本発明に従って構成されたＷＴＲＵ  ＭＡＣ−ｅ構造３００を示す。ＷＴＲＵ  ＭＡＣ−ｅ構造３００は、Ｅ−ＴＦＣ選択および多重化ユニット３０５、Ｈ−ＡＲＱ処理ユニット３１０、および下位レイヤ管理ユニット３１５を具備する。
【００１３】
Ｅ−ＴＦＣ選択および多重化ユニット３０５は、スケジュールされたＭＡＣ−ｄフロー３２５によって使用可能な送信電力の量を表示する、スケジュールされた許可信号３２０を受信する。スケジュールされた許可信号３２０によって表示された送信電力の量は、ＤＰＣＣＨ電力、またはスケジュールされたＭＡＣ−ｄフロー３２５に対して使用可能な下位レイヤ管理ユニット３１５によって提供される最大送信電力の何れかとの比率として特定することができる。
【００１４】
ＷＴＲＵは、スケジュール許可に従ってスケジュールされたＭＡＣ−ｄフロー３２５を送り、かつまた設定されたビット速度までならいつでも、スケジュールされていないＭＡＣ−ｄフロー３３５を送ることもできる。
【００１５】
Ｅ−ＴＦＣ選択および多重化ユニット３０５は、ＴＦＣ回復および削除ユニット３５５、多重化機構３６０、およびＴＦＣ選択およびパディングユニット３６５を具備する。Ｅ−ＴＦＣ選択および多重化ユニット３０５は、スケジュールされた、およびスケジュールされていないＭＡＣ−ｄフロー３２５および３３５を受信し、そしてＭＡＣ−ｅ  ＰＤＵ３４８に対するＴＦＣを選択した後に、ＭＡＣ−ｅ  ＰＤＵ３４８を生成する。ＴＦＣ回復および削除ユニット３５５は、一部には許容最大電力３３０に基づき、残存Ｅ−ＤＣＨ電力信号３４０を受信する。多重化機構３６０は、対応中のセルからのＨ−ＡＲＱ障害を示すＨ−ＡＲＱ処理ユニット３１０によって出力された信号３５０に一部には基づき生成される速度要求ユニット３７０からの速度要求ビット３４５を受信する。
【００１６】
ＴＦＣ回復および削除ユニット３５５は、許容されるＥ−ＤＣＨ  ＴＦＣＳ部分集合を計算する。ＴＦＣＳ部分集合は、残存Ｅ−ＤＣＨ電力３４０、Ｅ−ＤＣＨ  ＴＦＣＳ３４２、送信するべきＥ−ＤＣＨデータを有する最優先度ＭＡＣ−ｄフローの電力オフセット（ＭＡＣ−ｄフロー電力オフセット３４４に基づく）、各々のＥ−ＴＦＣに対する利得因子（ＭＡＣ−ｄフロー電力オフセット３４４から推測される）、およびＥ−ＤＣＨの最小集合速度（Ｅ−ＤＣＨ  ＴＦＣＳ３４２中に含まれる）に基づきＴＦＣを削除し、および回復させることによって継続的に更新される。
【００１７】
図４を参照して、本発明によるＴＦＣ回復および削除のための処理４００を以下に説明する。Ｅ−ＤＣＨが確立すると、ＴＦＣ選択に関連するパラメータが初期化される（ステップ４０２）。一意な電力オフセットを持つ各々の構成されたＭＡＣ−ｄフローに対して、各々のＥ−ＴＦＣの必要な送信電力が、その時点のＤＰＣＣＨ送信電力、各々のＥ−ＴＦＣ中のビット数、およびＥ−ＴＦＣの利得因子に基づいて計算される。次に、電力要件によって区分されたＴＦＣの一覧が格納される。一覧における各々のエントリーは、関連付けられたＭＡＣ−ｄフローに対して電力オフセットを持つＴＦＣに対する電力要件を特定する。あるいはまた、索引を持ったすべてのＭＡＣ−ｄフローに対する１つの一覧全体が格納される場合がある。Ｅ−ＤＣＨトランスポート・チャンネル（Transport CHannel：ＴｒＣＨ）の最小集合データ速度および他のパラメータなど、ＲＲＣが信号送信したパラメータがまた、設定される。
【００１８】
Ｅ−ＴＦＣ回復および削除手順は、各々のＴＴＩに対して開始することができる。Ｅ−ＴＦＣ回復および削除手順を開始すると、ＴＦＣ回復および削除ユニット３５５は、残存Ｅ−ＤＣＨ電力３４０を受け取りかつ格納する（ステップ４０４）。各々の論理チャンネルのバッファ占有期間および優先度、およびＥ−ＤＣＨに割り付けられたＭＡＣ−ｄフローに基づき、非ゼロのバッファ占有期間を持つ論理チャンネルを含むＥ−ＤＣＨに割り付けられたすべてのＭＡＣ−ｄフローの中で、最優先度データを持つＭＡＣ−ｄフローが判定される（ステップ４０６）。次のステップにおいて、このＭＡＣ−ｄフローの電力オフセットが使用される。
【００１９】
最優先度ＭＡＣ−ｄフローの電力オフセットに対して、電力要件によって区分されたＴＦＣの関連一覧が決定される（ステップ４０８）。ＴＦＣの一覧は次に、残存Ｅ−ＤＣＨ電力要件により索引を付される（ステップ４１０）。Ｅ−ＴＦＣによって必要とされる送信電力がＥ−ＤＣＨに対する残存電力を超える場合（ＰＥ−ＴＦＣ＞Ｐｒｅｍａｉｎ）には、Ｅ−ＴＦＣが削除され、そしてＥ−ＴＦＣによって必要とされる送信電力がＥ−ＤＣＨに対する残存電力によって賄える場合には回復される（ステップ４１２）。Ｅ−ＴＦＣの最小の集合は、最小の集合の中のＥ−ＤＣＨ  ＴＦＣが、送信電力制限に依り遮断されることが決してないように定義されることが望ましい。Ｅ−ＴＦＣ回復および削除ユニット３５５は、多重化機構３６０にＴＦＣＳ部分集合３５８を出力する（ステップ４１４）。
【００２０】
多重化機構３６０は複数のＭＡＣ−ｄ  ＰＤＵをＭＡＣ−ｅｓ  ＰＤＵ群に連結し、１つまたは複数のＭＡＣ−ｅｓ  ＰＤＵを単一のＭＡＣ−ｅ  ＰＤＵ３４８に多重化する。多重化機構３６０はまた、各々のＭＡＣ−ｅｓ  ＰＤＵに対して論理チャンネルあたりの送信一連番号（Transmission Sequence Number：ＴＳＮ）を管理して設定する。ここで、多重化機構３６０は、Ｅ−ＤＣＨに対するスケジュールされた許可信号３２０によって示された送信電力（すなわち、ＤＰＣＣＨ電力との比率）、スケジュールされていないＭＡＣ−ｄフローに対する速度許可３５２、Ｅ−ＤＣＨの残存電力によって許容された最大のＴＦＣ、許容されたＭＡＣ−ｄフロー組み合わせ３５４、各々の論理チャンネルの相対的な優先度、および速度要求ビット３４５のヘッダ（速度要求がこのＴＴＩにおいて送信される場合）を考慮する。
【００２１】
図５Ａおよび図５Ｂは一緒にまとめて、本発明によるＭＡＣ−ｄフローをＭＡＣ−ｅ  ＰＤＵ３４８へ多重化するための処理５００のフロー図を描写する。多重化機構３６０は、電力オフセットおよび残存電力に基づき、受信される（ｕｐｃｏｍｉｎｇ）ＴＴＩの間にＷＴＲＵが送信することができる対応可能な（ｓｕｐｐｏｒｔｅｄ）最大のペイロード（すなわち、対応可能なＥ−ＴＦＣの一覧（ＴＦＣＳ部分集合）の中に含まれる最大のＭＡＣ−ｅ  ＰＤＵサイズ）を計算する（ステップ５０２）。受信されるＴＴＩにおいて速度要求があれば、速度要求ビットが確保される。使用可能なペイロードは対応可能な最大のペイロードに設定される（ステップ５０４）。スケジュールされた許可信号３２０によって示された送信電力に基づき、この送信に対して選択された電力オフセットにて送信することが可能なスケジュールされた最大のペイロードを、多重化機構３６０が計算する（ステップ５０６）。使用可能なスケジュールされたペイロードは、スケジュールされた最大のペイロードに設定される（ステップ５０８）。スケジュールされていない許可を持つ各々のＭＡＣ−ｄフローに対しては、使用可能なスケジュールされていないペイロードはスケジュールされていない許可の値に設定される（ステップ５１０）。
【００２２】
以下のステップは、各々の論理チャンネルに対して優先度の順に実行される。ここでは最優先度が選択される（ステップ５１２）。選択された優先度において許容されたＭＡＣ−ｄフロー組み合わせを持つデータを有する少なくとも１つの論理チャンネルがあるか否かが判定される（ステップ５１４）。否であれば、処理はステップ５３６に進み、選択された優先度が最下位の優先度であるかを判定する。それが最下位の優先度でないと、次の優先度が選択され（ステップ５３８）、そして処理５００はステップ５１４に戻る。優先度が最下位であれば、処理は終了する。
【００２３】
ステップ５１４にてデータを有する論理チャンネルがあると判定されると、１より多い場合、何れかの論理チャンネルが無作為に選択され（ステップ５１６）、さらに使用可能なペイロードがあるかが判定される（ステップ５１８）。使用可能なペイロードがなければ、処理５００は終了する。使用可能なペイロードがあれば、その論理チャンネルがスケジュールされていない許可、またはスケジュールされた許可を持つＭＡＣ−ｄフローに属するかがさらに判定される（ステップ５２０）。
【００２４】
その論理チャンネルがスケジュールされていない許可を持つＭＡＣ−ｄフローに属するなら、このＭＡＣ−ｄフローに対してスケジュールされていないペイロードがあるか否かがさらに判定される（ステップ５２２）。もしある場合ＭＡＣ−ｅ  ＰＤＵ３４８は、使用可能なペイロードの最小値、使用可能なスケジュールされていないペイロード、およびその論理チャンネルの使用可能なデータまで入力される（ステップ５２４）。使用可能なペイロードおよび使用可能なスケジュールされていないペイロードは、入力されたデータ・ビットおよび関連するヘッダ・ビットによって適宜減少させられ（ステップ５２６）、そして処理５００はステップ５３４に進む。
【００２５】
その論理チャンネルがスケジュールされた許可を持つＭＡＣ−ｄフローに属する場合、使用可能なスケジュールされたペイロードがあるかが判定される（ステップ５２８）。ある場合ＭＡＣ−ｅ  ＰＤＵ３４８は、使用可能なペイロードの最小値、使用可能なスケジュールされたペイロード、およびその論理チャンネルの使用可能なデータまで入力される（ステップ５３０）。使用可能なペイロードおよび使用可能なスケジュールされたペイロードは、入力されたデータ・ビットおよび関連するヘッダ・ビットによって適宜減少させられ（ステップ５３２）、そして処理５００はステップ５３４に進む。
【００２６】
ステップ５３４にて、許容されたＭＡＣ−ｄフロー組み合わせを持つデータを有するこの優先度の別の論理チャンネルがあるかが判定される。他に論理チャンネルがなければ、処理５００はステップ５３６に進み、次の優先度を選択する。同一優先度を持つ別の論理チャンネルがあれば、処理５００はステップ５１６に戻る。
【００２７】
ＴＦＣ選択およびパディングユニット３６５は、適切なＥ−ＴＦＣを選択し、かつＭＡＣ−ｅ  ＰＤＵ３４８が選択されたＥ−ＴＦＣに合うように、パッディングを行う。ＴＦＣ選択およびパディングユニット３６５は、ＭＡＣ−ｅ  ＰＤＵサイズを決定して、この電力オフセットに対して支援されたＴＦＣの一覧から最小のＴＦＣ（これは、多重化の後にはＭＡＣ−ｅ  ＰＤＵサイズより大きくなる）を選択する。ＴＦＣ選択およびパディングユニット３６５は次に、選択されたＴＦＣに合うようにＭＡＣ−ｅ  ＰＤＵ３４８にパディングを行う。Ｅ−ＴＦＣ選択および多重化ユニット３０５は、ＭＡＣ−ｅ  ＰＤＵ３７６、ＴＦＣ３７８、電力オフセット３８０、再送信最大数３８２、速度要求表示３８４、およびハッピー・ビット（happy bit）３８６をＨ−ＡＲＱ処理ユニット３１０に出力する。
【００２８】
Ｈ−ＡＲＱ処理ユニット３１０は各々のＨ−ＡＲＱ処理を管理する役割をになう。Ｈ−ＡＲＱ処理ユニット３１０は、送信および再送信に対する同期動作、Ｈ−ＡＲＱ情報チャンネル（H-ARQ Information ＣＨannel：ＨＩＣＨ）におけるＨ−ＡＲＱフィードバック処理（すなわち、ＡＣＫ／ＮＡＣＫ）、およびＨ−ＡＲＱ処理あたりの再送信の最大数の追跡動作を実行する。対応中のセルからＨ−ＡＲＱの障害が発生すると、Ｈ−ＡＲＱ処理ユニット３１０は、信号３５０を出力することができる。Ｈ−ＡＲＱ処理が使用可能になると、Ｈ−ＡＲＱ処理の可用性表示３８８がＥ−ＴＦＣ選択および多重化ユニット３０５に送られる。
【００２９】
本発明の特徴および要素が好適な実施形態において特定の組み合わせにて記述されているが、各々の特徴または要素は、好適な実施形態の他の特徴および要素なしで単独で、または本発明の他の特徴および要素のあるなしにかかわらず、様々な組み合わせにて使用可能である。
【図面の簡単な説明】
【００３０】
【図１】従来のＷＴＲＵ側のＭＡＣ構造を示す図である。
【図２】図１の従来のＷＴＲＵにおける従来技術のＭＡＣ相互関係を示す図である。
【図３】本発明に従って構成されたＷＴＲＵのＭＡＣ−ｅ構造を示す図である。
【図４】本発明による、ＴＦＣ回復および削除に対する処理のフロー図である。
【図５Ａ】本発明による、ＭＡＣ−ｄフローをＭＡＣ−ｅ  ＰＤＵへ多重化するための処理のフロー図を描写する図である。
【図５Ｂ】本発明による、ＭＡＣ−ｄフローをＭＡＣ−ｅ  ＰＤＵへ多重化するための処理のフロー図を描写する図である。
【図１】
2008538683.tif 000003
【図２】
2008538683.tif 000004
【図３】
2008538683.tif 000005
【図４】
2008538683.tif 000006
【図５Ａ】
2008538683.tif 000007
【図５Ｂ】
2008538683.tif 000008
【国際調査報告】
2008538683.tif 000009